(57)【要約】【課題】本位牌等メモリアルプレートの製作に当たり、該本位牌の表面に設けられるセラミック板に故人の写真や家紋、戒名、享年、、梵字等の転写画像を形成し該写真や文字がカラー化している新規なメモリアルプレートをを提供する。【解決手段】本位牌１の札板部中央４をくり抜いてセラミック板５の嵌合部６を構成し、該セラミック板５の嵌合部６に嵌着されるセラミック板５の表面に極薄層の転写コーティングを施して転写コーティング層８を構成し、該転写コーティング層８にトランスファーフイルム９の画像を加熱・加圧転写して、前記セラミック板５の表面に故人の写真や家紋、戒名、享年、梵字等のカラー転写画像１１を形成した本位牌等のメモリアルプレートを具現化した。【選択図】図１
0003111444.tif 000002
【実用新案登録請求の範囲】
【請求項１】
本位牌の札板部中央をくり抜いてセラミック板の嵌合部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成したことを特徴とする位牌等のメモリアルプレート。
【請求項２】
本位牌の札板部中央をくり抜いて窓孔部を本位牌の札板表面に穿設し、或いは札板の表裏両面にそれぞれ窓孔部を穿設し、該それぞれの窓孔部にはセラミック板が前記札板部上部或いは側部から挿着、固定されるの挿着部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成したことを特徴とする位牌等のメモリアルプレート。
【請求項３】
墓石中央部を刻設してセラミック板の嵌合部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成したことを特徴とする墓石等のメモリアルプレート。
【請求項４】
セラミック板を壁掛け、スタンドプレート、墓石への嵌合プレート形状に構成し、該セラミック板の表面に極薄層の転写コーティングを施して転写コーティング層を構成し、該転写コーティング層にトランスファーフイルムの画像を加熱・加圧転写して、前記セラミック板の表面にペットの写真や名前等の転写画像を形成したことを特徴とするペット用メモリアルプレート。
【考案の詳細な説明】
【技術分野】
【０００１】
本考案はスキャナーにてパソコンに取り込んだ写真、イラスト、文字等をセラミック板に熱転写して製作するメモリアルプレートに関するものである。
特に、本考案は、位牌や墓石にはめ込む形状のセラミック製のメモリアルプレートプレートに関するものであり、該メモリアルプレートは、写真画像転写装置にて写真やイラストや文字等を任意サイズのカラー画像板として制作できるものである。
【背景技術】
【０００２】
木製で漆塗りを施した位牌、黒檀や紫檀で製作された位牌、そして墓石や金属板等にて製作されている、所謂、メモリアルプレートは、それぞれの材質により札板に戒名、梵字、家紋等を書き込む方法が異なる。
【０００３】
昔から用いられている本位牌の文字入れ方法としては、漆塗りの札板に金箔や金粉で加飾したり戒名を筆書きしたり、シルク印刷的な手法で家紋入れをする方法が多く用いられてきた。
【０００４】
また墓石等にあっては、墓石に直接下書きをしてルーターで彫刻を施したり、拡大複写した文字等を墓石に転写して下書きとなし、ルーターで彫刻を施している。
【０００５】
更にまた、ブロンズ板、真鍮板、ステンレス板等の金属板からなるメモリアルプレートにあっては、エッチング加工等により金属板表面を化学的に腐蝕せしめ写真やイラストや文字を刻設したり、逆にバックグランドをエッチング加工して写真や文字部分を突出して表現している。
【０００６】
然しながら、上記、従来の手法による本位牌の製作では、金箔や金粉を用いた工芸的な製作方法であり、また、製作日数が限られていることもあり、戒名や享年、梵字等のみの文字入れが一般的であるが、該文字入れは熟練と経験の必要な職人技が必要で高価なものとなる。
【０００７】
また、墓石等の彫刻加工にあっては、熟練と長い時間を要するきつい加工作業が必要で高価なものとなる。
【０００８】
また、金属板にエッチング加工したメモリアルプレートの製作では、エッチング用の版代の製作に多大な費用が掛かり、特に小さな文字等の表現では、隅部が欠けてしまったりして精度がでない等の欠点を有している。
【０００９】
また、従来の手法による本位牌、墓石、金属板によるエッチング加工のメモリアルプレートの製作では、彫刻した墓碑や家紋、またはエッチングした絵柄に塗料による色入れを行うことはなされてきたが、文字を含めた図柄等の全体がカラー化されたメモリアルプレートは皆無であった。
【００１０】
更にまた、技術分野は異なるが、観光地で販売されている写真画像入りの絵皿等にあっては、表面に感光剤を塗布した磁器に写真のネガフイルムを透過した光束を照射感光させた後、発色定着させ、その表面にガラス質の透明な釉薬をかけて再度焼成するものであるため、工程が複雑になり加工費が高騰するだけでなく、釉薬をかけて再度焼成するため該部分の肉厚が厚くなる問題を有しており、位牌等に嵌着したり、挿着する微細加工の組み合わせ部材としては使用できるものではなかった。
【考案の開示】
【考案が解決しようとする課題】
【００１１】
而して、本考案が解決しようとする課題は、本位牌の製作に当たり、該本位牌の表面、または裏面に故人の写真や家紋、戒名、享年、、梵字等の転写画像を形成し該写真や文字がカラー化している新規な本位牌を提供するものである。
【００１２】
また、本考案は、墓石に墓碑を一文字、一文字彫刻していくのではなく、墓石の任意位置にセラミックプレートを嵌着可能な嵌合部を刻設して、写真や文字がカラー化している新規な墓石を提供する。
【００１３】
更にまた、本考案は、セラミック板を壁掛け、スタンドプレート、墓石への嵌合プレート形状に構成し、該セラミック板の表面に極薄層の転写コーティングを施して転写コーティング層を構成し、該転写コーティング層にトランスファーフイルムの画像を加熱・加圧転写して、前記セラミック板の表面にペットの写真や名前等の転写画像を形成した新規なペット用メモリアルプレートを提供する。
【課題を解決するための手段】
【００１４】
本考案は、本位牌の札板部中央をくり抜いてセラミック板の嵌合部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成した位牌等のメモリアルプレートを要旨とするものである。
【００１５】
また、本考案は、本位牌の札板部中央をくり抜いて窓孔部を本位牌の札板表面に穿設し、或いは札板の表裏両面にそれぞれ窓孔部を穿設し、該それぞれの窓孔部にはセラミック板が前記札板部上部或いは側部から挿着、固定されるの挿着部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成した位牌等のメモリアルプレートを要旨とするものである。
【００１６】
また、本考案は、墓石中央部を刻設してセラミック板の嵌合部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成した墓石等のメモリアルプレートを要旨とするものである。
【００１７】
更にまた、本考案は、セラミック板を壁掛け、スタンドプレート、墓石への嵌合プレート形状に構成し、該セラミック板の表面に極薄層の転写コーティングを施して転写コーティング層を構成し、該転写コーティング層にトランスファーフイルムの画像を加熱・加圧転写して、前記セラミック板の表面にペットの写真や名前等の転写画像を形成したペット用メモリアルプレートを要旨とするものである。
【考案の効果】
【００１８】
而して、本考案は、スキャナーにてパソコンに取り込んだ写真、イラスト、文字等をセラミック板に熱転写してメモリアルプレートを製作するものであり、該メモリアルプレートは、本位牌や墓石に組み込み部材として固着され、故人の写真や家紋、戒名、享年、梵字等の複雑画像をカラー化したセラミック画像板として安価に、そして、容易に提供することができた。
【００１９】
また、本考案によるメモリアルプレートのセラミック部材は、熱伸縮が少なく加工精度が高いので、位牌や墓石に容易に嵌め込むことが可能であり、永年に渡り位牌や墓石と一体化されている美しい本位牌や墓石の具現化が可能である。
【００２０】
また、本考案におけるメモリアルプレートは、初めから壁掛け、スタンドプレート、墓石への嵌合プレート形状に構成し、該セラミック板の表面に極薄層の転写コーティングを施して転写コーティング層を構成し、該転写コーティング層にトランスファーフイルムの画像を加熱・加圧転写して、前記セラミック板の表面にペットの写真や名前等の転写画像を形成することにより、新規なペット用メモリアルプレートを提供することができた。
【考案を実施するための最良の形態】
【００２１】
本考案は、本位牌や墓石等に嵌着したり挿着するメモリアルプレート部材をカラー化した写真や文字情報で装飾したセラミック製の転写画像板にて製作するものである。
また、本考案のメモリアルプレートは、初めから壁掛け、スタンドプレート、墓石への嵌合プレート形状に構成することにより、ペットのカラー写真や名前入りの新規なペット用メモリアルプレートを提供するものである。
【００２２】
而して、本考案は、本位牌の札板部中央をくり抜いてセラミック板の嵌合部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成することが好ましい。
【００２３】
また、本考案は本位牌の札板部中央をくり抜いて窓孔部を本位牌の札板表面に穿設し、或いは札板の表裏両面にそれぞれ窓孔部を穿設し、該それぞれの窓孔部にはセラミック板が前記札板部上部或いは側部から挿着、固定されるの挿着部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成することが好ましい。
【００２４】
また、本考案は墓石中央部を刻設してセラミック板の嵌合部を構成し、該セラミック板の嵌合部に嵌着されるセラミック板の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等の転写画像を形成することが好ましい。
【００２５】
更にまた、本考案は、セラミック板を壁掛け、スタンドプレート、墓石への嵌合プレート形状に構成し、該セラミック板の表面に極薄層の転写コーティングを施して転写コーティング層を構成し、該転写コーティング層にトランスファーフイルムの画像を加熱・加圧転写して、前記セラミック板の表面にペットの写真や名前等の転写画像を形成しペット用メモリアルプレートとすることが好ましい。
【実施例１】
【００２６】
図１乃至図３は本考案の実施例１を示す説明図であり、図１は本位牌に本考案を実施した例を説明する斜視図、図２は本考案におけるセラミック板の断面形状を示す拡大断面図、図３は図１の写真画像転写処理をしたセラミック板を製造する写真画像転写装置の作業フローチャート図である。
【００２７】
図１並びに図２において、１は、漆ぬりや、アクリル系樹脂塗装や、ウレタン系樹脂塗装を施された塗り位牌であり、４９日の忌明けの後仏壇に祀られる本位牌である。
【００２８】
本位牌１は、一般的に台座上方よりレンゲ、二の座、返り花、ナス座、返り花、受け板、樞等からなる台座２と、戒名等を書き入れる札板３からなり、本考案においては、前記札板３の札板部中央４をくりぬいてセラミック板５の嵌合孔６が穿設されている。
また、前記嵌合孔６は、本位牌１の裏面部まで貫通していてもよいが、実施例１では、底部のある嵌合孔６となし、前記セラミック板５は該嵌合孔６に嵌着され接着剤等により本位牌１の札板３に一体化されている。
【００２９】
そして、前記セラミック板５表面と札板３の表面は、図１の如くチリ７と呼ばれる僅かな段差を設けて固着したり、該段差をなくして、ゾロとよばれるセラミック板５表面と札板３表面がフラットな状態で目地のみが見える納まりを採用することで見栄え良くセラミック板５をセットすることができる。
【００３０】
斯くして、前記セラミック板５の表面には、図２に示す如く、極薄層の転写コーティングを施して転写コーティング層８を構成しており、該転写コーティング層８にトランスファーフイルム９の画像１０が転写されセラミック板５の表面に故人の写真や家紋、戒名、享年、梵字等のカラー転写画像１１を形成している。
【００３１】
図３は上記写真等のカラー画像を転写処理したセラミック板５を製作する写真画像転写装置１２による作業フローチャートを示すものである。
【００３２】
図３において、１３はスキャナーと称する画像読み込み装置であり、ポジ写真やイラストや戒名を授かったご住職の自筆文字等の写真画材１４から、必要な部分を「トリミング」し、不必要な部分に「マスキング」を施し、また必要であれば「文字入れ」を行った後、これを画像読み込み装置１３によって電子信号化して後段のパーソナルコンピュータからなる画像処理装置１５に入力する。この時、上記画像読み込み装置１３から画像処理装置１５に入力する画像はCRT等の映像モニター装置１６によって確認することができる。
【００３３】
上記画像処理装置１６では、画像読み込み装置１３から読み込んだ写真画像に対して、「文字入れ」を行ったり、クロマキー合成と呼ばれる「トリック処理」を施したり、または画像の部分を拡大する「トリミング」を実行し、前記セラミック板５に転写する最終画像を合成する。この処理中の画像も、映像モニター装置１６により視認することができる。
【００３４】
上記画像処理装置１５によって処理を終了した最終画像は、電子信号／トランスファーフイルム変換用のプリンター１７に入力され、該プリンター１７によって画像が反転したトランスファーフイルム９を製作する。この時、該プリンター１７によって「色補正」を行い、出力するカラーの色合いを調整することができる。
【００３５】
プリンター１７によって作成したトランスファーフイルム９はカッター１８によって余白部分の切り取り工程を終了した後、ヒートプレス装置１９の固定台に取り付けられたセラミック板５の表面に施されている転写コーティング層８の面に貼着してなる。
【００３６】
ヒートプレス装置１９は、２００℃に加熱しながらトランスファーフイルム９をセラミック板５の面に押圧する装置であり、この「加圧・押圧」によりトランスファーフイルム９の表面に載っていた画像の顔料がセラミック板５の転写コーティング層８の層側に転写される。次に、該ヒートプレス装置１９から取り出したセラミック板５からトランスファーフイルム９を剥がすと、前記画像を構成している顔料だけが転写コーティング層８に残るから、写真等の画像を転写処理したセラミック板５を得ることができる。
【００３７】
尚、前記セラミック板５の写真画像転写装置１２では、画像読み込み装置１３によって読み込んだ写真画材１４をそのままセラミックに転写処理する場合は、画像読み込み装置１３の出力信号をそのままプリンター１７に入力することができるので、本位牌１のセラミック板５への写真や文字入れ専用機に改良することは、十分に可能である。
【００３８】
上記作業フローチャートによって説明した手順で転写されたセラミック板５上面の故人の写真や家紋、戒名、享年、梵字等の転写画像１１は、予めセラミック板５の表面に施してある転写コーティング層８に転写されるものであるため、該転写コーティング層８を薄く構成することによって、該転写面をセラミック板５の他の面と同一の高さに構成することができる。また、該転写画像１１は転写コーティング層８によって被覆保護される構造になるため、永年にわたって転写画像１１が、劣化することはない。
【００３９】
而して、実施例１は、本位牌１の札板部中央４をくり抜いてセラミック板５の嵌合部６を構成し、該セラミック板５の嵌合部６に嵌着されるセラミック板５の表面に極薄層の転写コーティングを施して転写コーティング層８を構成し、該転写コーティング層８にトランスファーフイルム９の画像を加熱・加圧転写して、前記セラミック板５の表面に故人の写真や家紋、戒名、享年、梵字等のカラー転写画像１１を形成した本位牌等のメモリアルプレートを具現化した。
【実施例２】
【００４０】
図４は実施例２を示す斜視説明図であり、図４において、１は本位牌、２は台座、３は札板を示している。
【００４１】
而して、実施例２は札板３の札板部中央２０をくり抜いて窓孔部２１を穿設し、札板３の上部天端には該窓孔部２１の蓋部２２を設けている。そして前記実施例１の図３にて説明した作業手順にて製作されたカラー転写画像１１を表面に転写されたセラミック板５は蓋部２２側より札板部中央２０をくり抜いた窓孔部２１内に挿入され、接着剤を用いたり、蓋部２２を閉鎖することで、札板３の装着部２４に挿着され一体化されている。
【００４２】
而して本考案の実施例２は、本位牌１の札板部中央２をくり抜いて窓孔部２１を本位牌１の札板３表面に穿設し、或いは札板３のの表裏両面にそれぞれ窓孔部２１，２１を穿設し、該それぞれの窓孔部２１，２１にはセラミック板５が前記札板部３上部、或いは側部２３から挿着、固定されるの挿着部２４を構成し、該セラミック板５の嵌合部に嵌着されるセラミック板５の表面に極薄層の転写コーティングを施して転写コーティング層を構成し、該転写コーティング層にトランスファーフイルムの画像を加熱・加圧転写して、前記セラミック板の表面に故人の写真や家紋、戒名、享年、梵字等のカラー転写画像１１を形成したことを特徴とする位牌等のメモリアルプレートを具現化した。
【実施例３】
【００４３】
図５は本考案の実施例３を説明するもので、図５（a）は本考案を実施した墓石の正面図、５（ｂ）は（a）図の側面図を示している。
図５（a）、（ｂ）において、２５は墓石の基台を示し、２６は基台２５上に設置される墓石を示している。墓石２６の中央部２７の表面にはカラー転写画像１１を形成したセラミックス板５が嵌着される嵌合部２８がが刻設されており、前記セラミック板５は、セラミック板５の裏面に植設されたアンカーボルト２９やコンクリメント等の接着剤にて強固に一体化されている。
【００４４】
而して、セラミック板５の表面には、図３にて説明した作業手順にて製作されたカラー転写画像１１が表面に転写されており、該カラー転写画像１１は、例えば故人の書等を転写することにより、新規でデザイン性の豊かな墓碑を形成することが可能となった。
【００４５】
また、セラミック板５表面に形成されるカラー転写画像１１は、高温焼き付け状態にて転写コーティング層を形成しているもので、屋外で紫外線等の影響を受け、前記カラー転写画像１１が経年変化することは非常に少ないが、更に表面をコーティングしたり、ラミネート貼りを施すことにより、前記経年変化には対応することができる。
【００４６】
斯くして、本考案は、墓石２６の中央部２７を刻設してセラミック板５の嵌合部２８を構成し、該セラミック板５の嵌合部２８に嵌着されるセラミック板５の表面に極薄層の転写コーティングを施して転写コーティング層８を構成し、該転写コーティング層８にトランスファーフイルム９の画像を加熱・加圧転写して、前記セラミック板５の表面に故人の写真や家紋、戒名、享年、梵字等のカラー転写画像１１を形成した墓石等のメモリアルプレートを具現化した。
【実施例４】
【００４７】
図６は、本考案の実施例４を説明する斜視説明図である。図６においてセラミック板５は、当初より、壁掛け、スタンドプレート形状に製作する。即ち、図６は、スタンドプレート形状に製作し、プレートスタンド３０にて机上に立て置き可能なセラミック板５であり、該セラミック板５の表面には、前記図３にて説明した作業手順にて製作されたカラー転写画像１１が表面に転写されており、該カラー転写画像１１は、例えばペットのカラー写真や名前等を転写することにより、新規でデザイン性の豊かなメモリアルプレートを形成することが可能となった。
【００４８】
而して、本考案の実施例４は、セラミック板５を壁掛け、スタンドプレート、墓石への嵌合プレート形状に構成し、該セラミック板５の表面に極薄層の転写コーティングを施して転写コーティング層８を構成し、該転写コーティング層８にトランスファーフイルム９の画像を加熱・加圧転写して、前記セラミック板５の表面にペットの写真や名前等の転写画像１１を形成したことを特徴とするペット用メモリアルプレートを具現化した。
【産業上の利用可能性】
【００４９】
斯くして、本考案は、上述の如く漆塗りの職人や、石工職人等熟練と経験で製作していた本位牌や墓碑等の文字入れをスキャナーにてパソコンに取り込み、セラミック板に熱転写して製作するメモリアルプレートを具現化するものである。
そして、本考案は、位牌や墓石にはめ込む形状のセラミック製のメモリアルプレートに写真やイラストや文字等を任意に、また、任意サイズのカラー画像板として転写して製作することにより、今までになかった新しいメモリアルプレートを提供するもので、その産業上の利用可能性は多大なものがある。
【図面の簡単な説明】
【００５０】
【図１】本考案の実施例１を説明する斜視図である。
【図２】本考案におけるセラミック板の断面形状を示す拡大断面図である。
【図３】本考案のセラミック板を製造する写真画像転写装置の作業フローチャ          ート図である。
【図４】本考案の実施例２を示す斜視説明図である。
【図５】本考案の実施例３を説明する正面図と側面図である。
【図６】本考案の実施例４を示す斜視説明図である。
【符号の説明】
【００５１】
１  本位牌
２  台座
３  札板
４  札板部中央
５  セラミック板
６  嵌合孔
７  チリ
８  転写コーティング層
９  トランスファーフイルム
１０  トランスファーフイルム画像
１１  カラー転写画像
１２  写真画像転写装置
１３  画像読み込み装置
１４  写真画材
１５  画像処理装置
１６  映像モニター装置
１７  プリンター
１８  カッター
１９  ヒートプレス装置
２０  札板部中央
２１  窓孔部
２２  蓋部
２３  側部
２４  挿着部
２５  墓石の基台
２６  墓石
２７  中央部
２８  嵌合部
２９  アンカーボルト
３０  プレートスタンド
【図１】
0003111444.tif 000003
【図２】
0003111444.tif 000004
【図３】
0003111444.tif 000005
【図４】
0003111444.tif 000006
【図５】
0003111444.tif 000007
【図６】
0003111444.tif 000008